(57)【特許請求の範囲】
【請求項１】
側端縁に溝形の桟木２２を固定した住宅の外壁パネル２０間に形成される目地Ｍに取付けられる目地材であり，胴部１１の屋外側端部から両側に頭部シール片１２を突設し，胴部１１の略中間部から両側へ腕部シール片１３を突設し，胴部１１の屋内側端部から両側へ股部付脚部シール片１４を突設すると共にその脚部シール片１４の先端部から屋外側に足部シール片１５を立設して略王字状に形成してなるところの外壁パネル用目地材１０を、その一対の脚部シール片１４を股部を閉じる方向に弾性変形させた姿勢で外壁パネル２０の上端面２０ａ側から桟木２２内に挿入すると共に，頭部シール片１２および腕部シール片１３を目地Ｍから露出し，前記外壁パネル２０との間の摩擦抵抗が小さい状態で鉛直下方向へ押込み，頭部シール片１２を水平方向屋内側へ押込んで，頭部シール片１２と腕部シール片１３を外壁パネル２０の外装材２１の側端面に弾接させ，脚部シール片１４を溝形桟木２２の屋内側壁２２ｂ内面に弾接させ，足部シール片１５を溝形桟木２２の屋外壁２２ａ内面に弾接させてなる外壁パネル用目地構造。
【請求項２】
側端縁に溝形の桟木２２を固定した住宅の外壁パネル２０間に形成される目地Ｍに取付けられる目地材であり，胴部１１の屋外側端部から両側に頭部シール片１２を突設し，胴部１１の略中間部から両側へ腕部シール片１３を突設し，胴部１１の屋内側端部から両側へ股部付脚部シール片１４を突設すると共にその脚部シール片１４の先端部から屋外側に足部シール片１５を立設して略王字状に形成してなるところの外壁パネル用目地材１０を、その一対の脚部シール片１４を複数箇所で股部を閉じて接着し，股部を閉じる方向に弾性変形させた姿勢で外壁パネル２０の上端面２０ａ側から溝形桟木２２内に挿入すると共に，頭部シール片１２および腕部シール片１３を目地Ｍから露出し，前記外壁パネル２０との間の摩擦抵抗が小さい状態で鉛直下方向へ押込み，頭部シール片１２を水平方向屋内側へ押込みその力で前記脚部の接着を外すと共に，頭部シール片１２と腕部シール片１３を外壁パネル２０のパネル本体２１の側端面に弾接させ，脚部シール片１４を溝形桟木２２の屋内側壁２２ｂ内面に弾接させ，足部シール片１５を溝形桟木２２の屋外側壁２２ａ内面に弾接させてなる外壁パネル用目地構造。
【発明の詳細な説明】
【０００１】
【発明の属する技術分野】
本発明は、住宅の外壁パネル間に形成される目地に設けられる目地構造に関するものである。
【０００２】
【従来の技術】
図１乃至図３を参照して説明する。従来、住宅の外壁パネル２０間に形成される目地Ｍに嵌入取付けされる目地材は、例えば、図２に示すようないわゆる後付けタイプの目地材４０にあっては、取付け後に目地巾が変動することや目地材４０の永久歪みによりその保持力が弱まり、脱落する心配があった。この目地材は、その屋内側シール部４２と屋外側シール部４１のみでシールを行うこととしているため、こうした問題が発生し易かった。なお、この目地材４０は、両側の外壁パネルを固定後に水平方向屋内側に押込まれて目地Ｍに取付けられる。
【０００３】
また、図３に示すような、外壁パネル２０を固定する前に取付けるハットジョイナータイプの目地材５０では、外壁パネル２０が目地材５０のシールリップ５１によって反発されるため、目地巾の確保が困難となるという問題があった。
【０００４】
【発明が解決しようとする課題】
本発明は、上記した問題を解決して、目地巾の変動に左右されず、また脱落することなく確実にシール性を発揮することのできる後付けタイプの外壁パネル用目地構造を提供することを課題とする。
【０００５】
【課題を解決するための手段】
図１および図４乃至図１０を参照して説明する。第一の発明に係る外壁パネル用目地構造は、側端縁に溝形の桟木２２を固定した住宅の外壁パネル２０間に形成される目地Ｍに取付けられる目地材１０であり，胴部１１の屋外側端部から両側に頭部シール片１２を突設し，胴部１１の略中間部から両側へ腕部シール片１３を突設し，胴部１１の屋内側端部から両側へ股部付脚部シール片１４を突設すると共にその脚部シール片１４の先端部から屋外側に足部シール片１５を立設して略王字状に形成してなるところの外壁パネル用目地材を、その一対の脚部シール片１４を股部を閉じる方向に弾性変形させた姿勢で外壁パネル２０の上端面２０ａ側から桟木２２内に挿入すると共に，頭部シール片１２および腕部シール片１３を目地Ｍから露出し，前記外壁パネル２０との間の摩擦抵抗が小さい状態で鉛直下方向へ押込み，頭部シール片１２を水平方向屋内側へ押込んで，頭部シール片１２と腕部シール片１３を外壁パネル２０の外装材２１の側端面に弾接させ，脚部シール片１４を溝形桟木２２の屋内側壁２２ｂ内面に弾接させ，足部シール片１５を溝形桟木２２の屋外壁２２ａ内面に弾接させてなるものである。
【０００６】
第二の発明に係る外壁パネル用目地構造は、側端縁に溝形の桟木２２を固定した住宅の外壁パネル２０間に形成される目地Ｍに取付けられる目地材１０であり，胴部１１の屋外側端部から両側に頭部シール片１２を突設し，胴部１１の略中間部から両側へ腕部シール片１３を突設し，胴部１１の屋内側端部から両側へ股部付脚部シール片１４を突設すると共にその脚部シール片１４の先端部から屋外側に足部シール片１５を立設して略王字状に形成してなるところの外壁パネル用目地材を、その一対の脚部シール片１４を複数箇所で股部を閉じて接着し，股部を閉じる方向に弾性変形させた姿勢で外壁パネル２０の上端面２０ａ側から溝形桟木２２内に挿入すると共に，頭部シール片１２および腕部シール片１３を目地Ｍから露出し，前記外壁パネル２０との間の摩擦抵抗が小さい状態で鉛直下方向へ押込み，頭部シール片１２を水平方向屋内側へ押込みその力で前記脚部の接着を外すと共に，頭部シール片１２と腕部シール片１３を外壁パネル２０のパネル本体２１の側端面に弾接させ，脚部シール片１４を溝形桟木２２の屋内側壁２２ｂ内面に弾接させ，足部シール片１５を溝形桟木２２の屋外側壁２２ａ内面に弾接させてなるものである。
【０００７】
【発明の実施の形態】
本発明に用いる外壁パネル用目地構造の実施形態を、図１および図４乃至図６を参照して説明する。この外壁パネル用目地材１０は、側端縁に溝形桟木２２を固定した住宅の外壁パネル２０間に形成される目地Ｍに取付けられる目地材である。
【０００８】
当該目地材１０は、胴部１１の屋外側端部から両側に頭部シール片１２を突設し、胴部１１の略中間部から両側へ腕部シール片１３を突設し、さらに、胴部１１の屋内側端部から両側へ脚部シール片１４を突設すると共にその脚部シール片１４の先端部から屋外側に足部シール片１５を立設して略王字状に形成している。また、胴部の屋内側端部には、脚部シール片１４の弾性変形を容易にするために、複数の切欠凹部１１ａを形成している。
【０００９】
そして、目地Ｍに取付けた状態では、頭部シール片１２と腕部シール片１３を外壁パネル２０の外装材２１の側端面に弾接させ、脚部シール片１４を溝形桟木２２の屋内側壁２２ｂ内面に弾接させ、足部シール片１５を桟木２２の屋外側壁２２ａ内面に弾接させることとしている。
【００１０】
鋼フレーム２４の屋外側に枠形合板２３を固定し、枠形合板２３の縦側周縁にＡＢＳ樹脂或いは金属製の溝形桟木２２を粘着テープ等で固定し、枠形合板２３の屋外側に枠形合板２３及び溝形桟木２２を覆う外装材２１を固定して外壁パネル２０が形成されている。鋼フレーム２４と柱３０をボルト等で固定し、柱３０の屋外側に外壁パネル２０が位置されている。そして柱３０の屋外側で隣接する外壁パネル２０，２０の外装材２１，２１間及び溝形棧木２２，２２間に目地Ｍが形成されている。
【００１１】
本実施形態における外壁パネル用目地材１０にあっては、頭部シール片１２、腕部シール片１３、脚部シール片１４および足部シール片１５の四ヶ所でシールを達成しているので、取付け後に目地巾が変動してもそれに追従することができ、シール性が低下することがない。特に、脚部シール片１４および足部シール片１５を、桟木２２の内部に弾接させているので、目地巾Ｓが変動して広がっても当該桟木２２部分でシール性を確保することができる。
【００１２】
また、脚部シール片１４と足部シール片１５を、パネル本体２１間より巾の広い桟木２２，２２間に弾接させているので、目地巾が広くなっても目地材１０が外方へ脱落することがない。この脚部シール片１４と足部シール片１５は、シール作用と共に脱落防止作用も併せて発揮する。さらに、この目地材１０はいわゆる後付けタイプであるため、頭部シール片１２等によって外壁パネル２０が反発されて目地巾の確保が困難となることもない。
【００１３】
この目地材１０は、次のようにして取付ける。まず、その一対の股部付脚部シール片１４，１４の股部を閉じる方向に弾性変形させて、目地材１０をその原形である略王字状から略天字状とする。次に、この姿勢の脚部シール片１４を、外壁パネル２０の上端面２０ａ側から溝形桟木２２内に挿入すると共に、頭部シール片１２および腕部シール片１３を目地Ｍから露出した状態で鉛直下方向へ押込む（図７参照）。
【００１４】
鉛直下方向への押込みが完了すると、最後に、頭部シール片１２をパネル壁側から水平方向屋内側に押込んで（図８参照）、頭部シール片１２と腕部シール片１３を外壁パネル２０の外装材２１の側端面に弾接させ、脚部シール片１４を溝形桟木２２の屋内側壁２２ｂ内面に弾接させ、さらに足部シール片１５を溝形桟木２２の屋外側壁２２ａ内面に弾接させる。
【００１５】
この実施形態においては、一対の脚部シール片１４を弾性変形させて股部を閉じた状態で桟木２２内に挿入すると共に、頭部シール片１２と腕部シール片１３は目地Ｍから露出した状態とし、鉛直下方向へ押込むこととしているので、取付け時における目地材１０と外壁パネル２０との間の摩擦抵抗が小さい。よって、目地材１０の取付けを容易に行うことができる。
【００１６】
なお、一対の脚部シール片１４，１４の股部を閉じた姿勢を維持するために、その一対の脚部シール片１４，１４屋内側下端部の複数箇所の股部を閉じ軽く接着して接着部１４ａを形成すると良い（図９参照）。この場合、頭部シール片１２を水平方向屋内側へ押込んだ際に、脚部シール片１４，１４の股部が接着され
ておらずやや開いた状態にある部分が溝形桟木２２の屋内側壁２２ｂに突き当たり、その反力で大きく押し開かれ、当該作用によって脚部シール片１４の接着部１４ａが外れ、原形に復帰する（図１０参照）。これにより、頭部シール片１２と腕部シール片１３がパネル本体２１の側端面に弾接し、脚部シール片１４が溝形桟木２２の屋内側壁２２ｂ内面に弾接し、さらに、足部シール片１５が溝形桟木２２の屋外側壁２２ａ内面に弾接する。
【００１７】
この取付け方法においては、一対の脚部シール片１４，１４の股部を閉じた状態でその複数箇所において接着することとしているので、この脚部シール片１４を溝形桟木２２内に挿入して鉛直下方向へ押込む際に、当該脚部シール片１４はその閉じた状態を確実に維持する。従って、当該押込み作業がより容易となる。
【００１８】
また、ここで使用材質としては、樹脂またはゴムの一材質を使用してもよいが、鉛直方向挿入時と水平方向挿入時の作業性向上と組付後のシール性向上の観点から、一断面に２材質を使用するのが望ましい。例えば、胴部１１と脚部シール片１４は硬質樹脂製とし、頭部シール１２と腕部シール片１３と足部シール片１５と切欠凹部１１ａは軟質樹脂製とするのが望ましい。また、硬質樹脂の代わりに高硬度ソリッドゴム（ＪＩＳ硬度８０度〜９５度）を使用し、軟質樹脂の代わりにソリッドゴム（ＪＩＳ硬度６０度〜７０度）を使用してもよい。
【００１９】
【発明の効果】
この発明の実施に用いる外壁パネル用目地構造は、頭部シール片１２、腕部シール片１３、脚部シール片１４および足部シール片１５の四ヶ所でシールを達成しているので、取付け後に目地巾が変動してもそれに追従することができ、シール性が低下することがない。特に、脚部シール片１４および足部シール片１５を、溝形桟木２２の内部に弾接させているので、目地巾が変動して広がっても当該桟木２２部分でシール性を確保することができ、また、目地巾が広くなっても目地材１０が外方へ脱落することもない。さらに、この目地材１０はいわゆる後付けタイプであるため、頭部シール片１２等によって外壁パネル２０が反発されて目地巾の確保が困難となることもない。
【００２０】
そして外壁パネル用目地材１０の取付けに当たっては、一対の脚部シール片１４を弾性変形させて股部を閉じた状態で溝形桟木２２内に挿入すると共に、頭部シール片１２と腕部シール片１３は目地Ｍから露出した状態とし、鉛直下方向へ押込むこととしているので、取付け時における目地材１０と外壁パネル２０との間の摩擦抵抗が小さく、目地材１０の取付けを容易に行うことができる。
【００２１】
この場合は、一対の脚部シール片１４，１４の股部の複数箇所を閉じた状態で接着すれば、この脚部シール片１４を桟木２２内に挿入して鉛直下方向へ押込む際に、当該脚部シール片１４はその閉じた状態を確実に維持することができ、当該押込み作業がさらに容易となる。
【図面の簡単な説明】
【図１】  外壁パネルが設けられた住宅を示す正面図である。
【図２】  従来の後付けタイプの目地材の取付け状態を示す平面図である。
【図３】  従来のハットジョイナータイプの目地材の取付け状態を示す平面図である。
【図４】  本発明の目地材の取付けられる外壁パネルの一形態を示す背面斜視図である。
【図５】  本発明で用いる目地材の一実施形態を示す平面図である。
【図６】  図５に示す目地材を取付けた状態を示す平面図である。
【図７】  図５に示す目地材を鉛直下方向に押込む状態を示す正面斜視図である。
【図８】  図５に示す目地材を水平方向屋内側へ押込む状態を示す平面図である。
【図９】  本発明の目地材の脚部シール片を複数箇所接着した状態を示す背面斜視図である。
【図１０】図９に示す目地材を水平方向屋内側へ押込む状態を示す平面図である。
【符号の説明】
１０    外壁パネル用目地材
１１    胴部
１１ａ  切欠凹部
１２    頭部シール片
１３    腕部シール片
１４    脚部シール片
１４ａ  接着部
１５    足部シール片
２０    外壁パネル
２０ａ  上端面
２１    外装材
２２    溝形桟木
２２ａ  屋外側頂壁
２２ｂ  屋内側底壁
２３    枠形合板
２４    鋼フレーム
３０    柱
４０    後付けタイプの目地材
４１    屋外側シール部
４２    屋内側シール部
５０    ハットジョイナータイプの目地材
５１    シールリップ
Ｍ      目地
Ｓ      目地巾
【図１】
0004104804.tif 000002
【図２】
0004104804.tif 000003
【図３】
0004104804.tif 000004
【図４】
0004104804.tif 000005
【図５】
0004104804.tif 000006
【図６】
0004104804.tif 000007
【図７】
0004104804.tif 000008
【図８】
0004104804.tif 000009
【図９】
0004104804.tif 000010
【図１０】
0004104804.tif 000011